(57)【要約】【目的】スイッチギヤの内部でアーク短絡事故が発生すると、熱により内部圧力が上昇して扉が破損してしまう。このような圧力の上昇時に扉の変形を抑え、強固に扉を固定できるスイッチギヤの扉ロック構造を実現する。      【解決手段】スイッチギヤの扉のロック構造において、ハンドルの固定金具でロック板を駆動させて、扉をロックするとともに、扉の変形に対して固定の強化を図る。【選択図】        図５
2012186945.tif 000002
【特許請求の範囲】
【請求項１】
開口部を有する筐体と、
該開口部の周縁に形成された枠部と、
該枠部を覆い、前記筐体を気密に封止する開閉自在な扉と、
該扉の背面縁部に前記枠部と対向して設けられた断面コの字状の屈曲部と、
前記扉の正面に設けられたハンドルとを備えたスイッチギヤの扉固定装置において、
前記枠部の側辺には、前記ハンドルの開閉操作に連動して上下方向にスライドする側辺スライドプレートを備え、
該側辺スライドプレートには、突出片が所定の位置に少なくとも１つ形成され、
前記扉の前記屈曲部には、該突出片と対応する位置に切欠き部と突起部とが連続形成され、
前記扉が閉じられた際に、
前記ハンドルが開位置へ操作されたときには、前記突出片が前記切欠き部に収納され、
前記ハンドルが閉位置へ操作されたときには、連動して前記側辺スライドプレートがスライドすることにより、前記切欠き部に収納された前記突出片が移動して前記突起部に係止されることを特徴とするスイッチギヤの扉固定装置。
【請求項２】
請求項１に記載のスイッチギヤの扉固定装置において、
前記枠部の上辺および下辺には、前記ハンドルの開閉操作に連動して左右方向にスライドする上辺および下辺スライドプレートを備え、
該上辺および下辺スライドプレートには、突出片が所定の位置に少なくとも１つ形成され、
前記扉の屈曲部の上辺および下辺には、前記上辺および下辺スライドプレートの前記突出片と対応する位置に切欠き部と突起部とが連続形成され、
前記扉が閉じられた際に、
前記ハンドルが開位置へ操作されたときには、前記突出片が前記切欠き部に収納され、
前記ハンドルが閉位置へ操作されたときには、連動して前記上辺および下辺スライドプレートがスライドすることにより、前記切欠き部に収納された前記突出片が移動して前記突起部に係止されることを特徴とするスイッチギヤの扉固定装置。
【請求項３】
請求項１または２に記載のスイッチギヤの扉固定装置において、
前記突出片と前記突起部との係止位置が、事故発生時の内圧上昇による前記扉の変形量が多い位置であることを特徴とするスイッチギヤの扉固定装置。
【発明の詳細な説明】
【技術分野】
【０００１】
本発明は、スイッチギヤに使用される扉の固定構造に関し、特に、内部アーク事故等による圧力上昇に耐え得るような扉固定構造に関するものである。
【背景技術】
【０００２】
スイッチギヤにおいては、小動物の侵入、過電圧、誤操作等により内部アーク事故が発生する。このような事故が発生すると、局部的に過熱し装置内部の圧力が上昇して、装置に機械的または熱的に大きなストレスを与えてしまう。
【０００３】
ここで、図１３および１４に示す従来の構成により、内部アーク事故の現象を説明する。
図１３は従来のスイッチギヤの構成を示す断面図であり、図１４はその扉を示す正面図である。１０１は筐体、１０２は制御室、１０３は遮断器室、１０４は主母線室、１０５はケーブル室、１０６は遮断器、１０７は上扉、１０８は中扉、１０９は下扉、１１０は放圧板である。
【０００４】
小動物の侵入等により内部アーク事故が発生する可能性のある部位は、遮断器室１０３、ケーブル室１０５、主母線室１０４である。内部アーク事故発生時には、装置内部の圧力が急上昇し、図中に矢印で示すように、スイッチギヤの外装面（上〜下扉１０７、１０８、１０９）および筐体１０１に過大な圧力が加わる。
【０００５】
以上が内部アーク事故の現象の説明である。
このような内部圧力の上昇を低減させる手段としては、例えば、筐体１０１の天井部に放圧板１１０を設け、この放圧板１１０により内部圧力を外へ放圧させる構成が開示されている（特許文献１）。
【０００６】
また、放圧させるだけでなく、筐体正面部の扉のヒンジ側と反対側に複数のパネルボルト（つまみ式ボルト）を設け、扉に加わる内部圧力に対し、扉をロックして不用意に扉が開放しないように締め付けを強固にした構成も周知である。
【先行技術文献】
【特許文献】
【０００７】
【特許文献１】特開平１０−３２２８１１号公報
【発明の概要】
【発明が解決しようとする課題】
【０００８】
上述のとおり、スイッチギヤの内部が異常に圧力上昇したときには、内部圧力を積極的に放圧させるだけでなく、開放された場合に人体に接触する可能性のある前面の扉部および後面カバー部を防爆構造にする対策が行われている。
【０００９】
このうち、扉部に関する従来の固定構造には、以下のような課題があった。
多数点のパネルボルトで正面扉を固定する構造では、現地での据付・メンテナンス作業時に、各扉の全てのパネルボルトのつまみを回し、外した上で扉を開けなければならなかった。さらに、扉を閉める際にも同様の作業が必要となってしまう。従って、作業時間が長くかかってしまうという問題があった。
【００１０】
また、圧力による扉自体の変形を押さえるためには、扉の強度を上げる必要がある。その場合、パネルネルボルトだけでなく、扉の板厚についても、大きくて重いものを使用する必要があり、取り扱いやコスト面で問題があった。
【００１１】
そこで、本発明の目的は、上記の課題を解決するべく、スイッチギヤの扉の固定構造の簡易化を実現することである。
【課題を解決するための手段】
【００１２】
前記の目的を達成するために、本発明によれば、開口部を有する筐体と、該開口部の周縁に形成された枠部と、該枠部を覆い、前記筐体を気密に封止する開閉自在な扉と、該扉の背面縁部に前記枠部と対向して設けられた断面コの字状の屈曲部と、前記扉の正面に設けられたハンドルとを備えたスイッチギヤの扉固定装置において、前記枠部の側辺には、前記ハンドルの開閉操作に連動して上下方向にスライドする側辺スライドプレートを備え、該側辺スライドプレートには、突出片が所定の位置に少なくとも１つ形成され、前記扉の前記屈曲部には、該突出片と対応する位置に切欠き部と突起部とが連続形成され、前記扉が閉じられた際に、前記ハンドルが開位置へ操作されたときには、前記突出片が前記切欠き部に収納され、前記ハンドルが閉位置へ操作されたときには、連動して前記側辺スライドプレートがスライドすることにより、前記切欠き部に収納された前記突出片が移動して前記突起部に係止されることを特徴とするスイッチギヤの扉固定装置とする。
【００１３】
また、本発明によれば、上記の構成において、前記枠部の上辺および下辺には、前記ハンドルの開閉操作に連動して左右方向にスライドする上辺および下辺スライドプレートを備え、該上辺および下辺スライドプレートには、突出片が所定の位置に少なくとも１つ形成され、前記扉の屈曲部の上辺および下辺には、前記上辺および下辺スライドプレートの前記突出片と対応する位置に切欠き部と突起部とが連続形成され、前記扉が閉じられた際に、前記ハンドルが開位置へ操作されたときには、前記突出片が前記切欠き部に収納され、前記ハンドルが閉位置へ操作されたときには、連動して前記上辺および下辺スライドプレートがスライドすることにより、前記切欠き部に収納された前記突出片が移動して前記突起部に係止されることを特徴とするスイッチギヤの扉固定装置とする。
【００１４】
また、本発明によれば、上記の構成において、前記突出片と前記突起部との係止位置が、事故発生時の内圧上昇による前記扉の変形量が多い位置であることを特徴とするスイッチギヤの扉固定装置とする。
【発明の効果】
【００１５】
本発明により、スイッチギヤの扉の固定構造を簡易化することができる。
【図面の簡単な説明】
【００１６】
【図１】本発明の第１の実施例のスライドプレートを示す正面図および部分拡大図である。（Ａ）は正面図、（Ｂ）は部分拡大図である。
【図２】本発明の第１の実施例のスライドプレートを示す左側面図である。
【図３】本発明の第１の実施例の扉を外側（正面側）から示す図である。
【図４】本発明の第１の実施例の扉を内側（裏面側）から示す図である。
【図５】本発明の第１の実施例の筐体およびスライドプレート、扉との詳細を示す正面図である。
【図６】本発明の第１の実施例の筐体およびスライドプレート、扉との詳細を示す断面図である。
【図７】本発明の第１の実施例のハンドル操作による扉ロック動作を示す動作図である。
【図８】本発明の第１の実施例のスライドプレートと扉との固定方法を示す斜視図である。
【図９】本発明の第２の実施例の水平方向スライドプレートを示す正面図である。
【図１０】本発明の第２の実施例の水平方向スライドプレートを示す底面図である。
【図１１】本発明の第２の実施例の扉を内側（裏面側）から示す図である。
【図１２】本発明の第２の実施例のスライドプレート（側辺）と水平方向スライドプレート（上辺）との連結状態を示す図である。
【図１３】従来のスイッチギヤの構成を示す断面図である。
【図１４】従来のスイッチギヤの扉を示す正面図である。
【発明を実施するための形態】
【００１７】
実施の形態を以下の実施例で説明する。
【実施例】
【００１８】
図１ないし８により、本発明の第１の実施例を説明する。
第１の実施例の構成を説明する。
最初に、図１および２により、スライドプレートの構成を説明する。
【００１９】
図１は本発明の第１の実施例のスライドプレートを示す正面図および部分拡大図であり、（Ａ）は正面図、（Ｂ）は部分拡大図である。図２はその左側面図である。１はスライドプレート、２はロック用ツメ部、３はスライド用ツメ部である。
【００２０】
図１（正面図）の（Ａ）のとおり、スライドプレート１の形状は薄く細長い板状であり、ロック用ツメ部２およびスライド用ツメ部３を備えている。
図２（左側面図）のとおり、ロック用ツメ部２は、正面側に対して突出する略Ｌ字形状であり、４箇所設けられている。スライド用ツメ部３は、背面側（ロック用ツメ部２の突出方向とは反対方向）に対して突出する略長方形状であり、中央付近に２箇所設けられている。
【００２１】
ここで、ロック用ツメ部２の成形方法について説明する。
図１の（Ｂ）のとおり、ロック用ツメ部２は、スライドプレート１の形状をツメ形状に繰り抜いた後、背面側に折り曲げられることによって成形される。
【００２２】
スライドプレート１の構成は以上である。
次に、図３および４により、扉の構成を説明する。
図３は本発明の第１の実施例の扉を外側（正面側）から示す図であり、図４はその内側（つまり扉の裏面側）から示す図である。４は扉、５はハンドル、６は屈曲部、７は切欠き部、８は突起部、９はハンドルの連動ピンである。
【００２３】
図３のとおり、扉４の外側（正面側）にはハンドル５が設けられており、開閉動作を行う。
図４のとおり、扉４の周縁（側辺および上下辺）には、内側に向けて屈曲した断面コの字状の屈曲部６が設けられている。
【００２４】
屈曲部６は、切欠き部７および突起部８から構成されている。切欠き部７は、扉４の側辺４箇所、上辺に２箇所、下辺に２箇所の合計８箇所設けられている。突起部８は、扉４の側辺６箇所、上辺に３箇所、下辺に３箇所の合計１２箇所設けられている。扉４の内側の側辺には、外側のハンドル５と同じ位置にハンドルの連動ピン９が設けられている。
【００２５】
なお、切欠き部７は、スライドプレート１のロック用ツメ部２を収納できる位置に配置されているが、この点については後述する。
そのほか、ハンドルの連動ピン９は、扉の外側側（表面側）のハンドル５の開閉動作に合わせて図中の矢印の方向に動作する。そして、その動作により筐体に取り付けられたスライドプレート１を上下にスライドさせ、スライドプレート１のロック用ツメ部２を扉４の裏面の突起部８に緊合させることで扉４をロックするが、これらの動作については後述する。
【００２６】
扉４の構成は以上である。
続いて、図５および６により、筐体１１にスライドプレート１を取り付け、扉４を閉めた状態の構成を説明する。
【００２７】
図５は本発明の第１の実施例の扉とスライドプレートとの詳細を示す正面図であり、図６はその断面図である。１０は筐体、１１は枠部（側辺）、１２は枠部のツメ用穴部、１３はスライドプレート押さえ板、１４は押さえ板ボルトである。
【００２８】
なお、図５は、筐体１１にスライドプレート１が取り付けられ、さらに扉４が閉められた状態において、筐体１１とスライドプレート１、ハンドルの連動ピン９のみを示した模式図である。
【００２９】
図５のとおり、筐体１０の側辺には枠部１１が形成されている。枠部１１の裏面には、スライドプレート１がロック用ツメ２が正面方向へ向けて取り付けられている。枠部１１にはツメ用穴１２が形成されており、スライドプレート１のロック用ツメ２は、この枠部のツメ用穴１２を通して正面方向へ突出している。
【００３０】
図６では、上記の状態を断面図で示している。
スライドプレート１は、スライドプレート押さえ板１３により筐体１０に挟み込むように取り付けられている。スライドプレート押さえ板１３は、押さえ板ボルト１４により筐体に固定されている。この状態で、スライドプレート１は上下にスライド可能である。
【００３１】
そして、ハンドル５と連動したハンドルの連動ピン９が開閉動作を行い、スライドプレート１のスライド用ツメ部３を押し上げることにより、スライドプレート１が上下にスライドする。さらに、枠部１１より突出したスライドプレート１のロック用ツメ部２は、スライドプレート１が上方にスライドすることで、扉４の屈曲部６に形成された突起部８と係合されるが、これらの動作については後述する。
【００３２】
筐体１０、スライドプレート１、扉４の構成は以上である。
第１の実施例の構成は以上である。
次に、第１の実施例の動作を説明する。
【００３３】
図４のとおり、ハンドル５の開閉動作により、扉４の裏面のハンドルの連動ピン９も連動して動作する。
そして、図５のとおり、ハンドルの連動ピン９が閉動作を行うと、スライドプレート１のスライド用ツメ部３が押し上げられる。反対に開動作を行うと、ハンドルの連動ピン９がスライド用ツメ部３から外れて、上記の押し上げが解かれる。このように、枠部１１の裏面に取り付けられたスライドプレート１は上下にスライドする。
【００３４】
ここで、図７により、ハンドル５の開閉動作によりスライドプレート１が上下にスライドする動作を具体的に説明する。
図７は、本発明の第１の実施例のハンドル操作による扉ロック動作を示す動作図である。
【００３５】
扉４のハンドル５が開→閉状態へ動作した場合を説明する。
ハンドル５が閉状態へ動作する。すると、扉４の裏面のハンドルの連動ピン９も閉状態へ動作する。ハンドルの連動ピン９は略水平の状態へ動作するが、このとき、同時にスライドプレート１のスライド用ツメ部３に係合して押し上げる。そして、スライドプレート１は上方にスライドされる。
【００３６】
反対に、ハンドル５が閉→開状態へ動作した場合を説明する。
ハンドル５が開状態へ動作する。すると、扉４の裏面のハンドルの連動ピン９も開状態へ動作する。ハンドルの連動ピン９はスライドプレート１のスライド用ツメ部３から外れ、スライドプレート１を押し上げが解除される。そして、スライドプレート１は下方にスライドされる。
【００３７】
ハンドル５の開閉動作に伴うスライドプレート１の上下スライドの動作の説明は以上である。
さらに、図５〜７により、スライドプレート１の上方向へのスライドで扉４がロックされる動作について説明する。
【００３８】
扉４が閉じられてハンドル５が開状態にある場合、図６のとおり、枠部のツメ用穴部１２から突出したロック用ツメ部２は、対向する扉４の屈曲部６に形成された切欠き部７に収納される。
【００３９】
ここで、ハンドル５が閉状態へと動作された場合、図７のとおり、スライドプレート１は押し上げられ、上方にスライドする。そして、ロック用ツメ部２もまた、切欠き部７に収納されたまま上方にスライドする。すると、上方にスライドしたロック用ツメ部２は、屈曲部６の突起部８と緊合され、扉４と筐体１０とが固定される。
【００４０】
この係合についてさらに図８により説明する。
図８は、ロック用ツメ部２と突起部８との緊合を模式的に示したものである。
図８のとおり、スライドプレート１のロック用ツメ部２は、ハンドル５が閉状態のときには、切欠き部７に収納されている。しかし、開状態となったときには、スライドプレート１が上方へスライドすることにより、ロック用ツメ部２も上方へとスライドし、突起部８と緊合され、扉４と筐体１０とが固定される。
【００４１】
その後、再び閉状態へ移行したときには、スライドプレート１が下方へスライドすることにより、ロック用ツメ部２と突起部８との緊合が解かれ、扉４と筐体１０との固定が解除される。そして、ロック用ツメ部２は、再び切欠き部７に収納される。
【００４２】
第１の実施例の動作は以上である。
なお、上記ではスライドプレート押さえ板１３および押さえ板ボルト１４を用いて、スライドプレート１を筐体１０にスライド自在に取り付けているが、筐体１０の枠部１１に係合穴を設け、スライドプレート１にはその係合穴に対応したロックボルトを設け、ロックボルトを係合穴に係合させることにより、スライドプレート１を筐体１０に取り付けることもできる。
【００４３】
かくして本発明の第１の実施例によれば、ハンドル５の開閉動作に連動し、スライドプレート１のロック用ツメ部２と扉４の突起部８とが緊合されることにより、扉４と筐体１０とが固定される。
【００４４】
そのため、強固に固定されているにもかかわらず、現地でのスイッチギヤの据付・メンテナンス作業時に、ハンドル５の開閉動作を行うだけで固定および解除動作を行うことができる。従って、作業時間の軽減につながる。
【００４５】
また、スライドプレート１のロック用ツメ部２と扉４の突起部８とが垂直方向に緊合して固定されているため、扉４の垂直方向への変形に対する強度を向上させることができる。
【００４６】
さらに、薄い板状のスライドプレート１を用い、扉４には切欠き部７と突起部８とを設けるだけであるため、扉への加工が簡単で軽量化とコストダウンを図ることができる。
なお、スライドプレート１のロック用ツメ部２と扉４の突起部８の位置を、扉４が内圧上昇で大きく変形すると予測される箇所（変形量が多い位置）に設けるようにすることで、扉の変形に対する強度を向上させることができる。
【００４７】
また、実施例１では、ロック用ツメ部２はスライドプレート１をツメ形状に繰り抜いた後に背面側に折り曲げて成形されているが、ロック用ツメ部２を別途製作し、スライドプレート１に取り付けてもよい。
【００４８】
続いて、図９ないし１１により、本発明の第２の実施例を説明する。
ここでは、実施例１と同等部分は同一符号で示して説明は省略し、構成および動作で異なる点を中心に説明する。
【００４９】
第２の実施例の構成を説明する。
最初に、図９および１０により、水平方向スライドプレート１５の構成を説明する。
図９は本発明の第２の実施例の水平方向スライドプレートを示す正面図であり、図１０はその底面図である。１６は変向用長穴である。
【００５０】
水平方向スライドプレート１５は、スライドプレート１と同様に、ロック用ツメ部２が形成されている。一方の端部には変向用長穴１６が設けられている。
水平方向スライドプレート１５の構成は以上である。
【００５１】
さらに、図１１により、扉４の構成を説明する。
図１１は、本発明の第２の実施例の扉を内側（裏面側）から示す図である。実施例１と異なる点は、扉の上辺および下辺にも切欠き部７および突起部８が形成されている点である。水平方向スライドプレート１５が水平方向にスライドした際に、水平方向スライドプレート１５のロック用ツメ部２と、扉の上辺および下辺の突起部８とがそれぞれ緊合することにより、扉４が筐体１０に固定されるが、これらの動作は後述する。
【００５２】
扉４の構成は以上である。
次に、図１２により、筐体１１にスライドプレート１および水平方向スライドプレート１５を取り付け、扉４を閉めた状態の構成を説明する。
【００５３】
図１２は、本発明の第２の実施例のスライドプレート（側辺）と水平方向スライドプレート（上辺）との連結状態を示す図である。１７は変向用ガイド、１８は変向用可動ボルト、１９は変向用支点ボルトである。
【００５４】
実施例１と同様、筐体１０の枠部１１（側辺）の内側には、にスライドプレート１が上下スライド自在に取り付けられている。また、枠部１１（上辺）の内側には、水平方向スライドプレート１５が左右スライド自在に取り付けられている。これらの取り付けは、各プレートの裏側から押さえ板によって取り付けてもよいし、係合穴とロックボルトにより取り付けてもよい。
【００５５】
また、実施例１と同様、筐体１０の枠部１１（側辺）にはツメ用穴部１２が形成されており、そこからスライドプレート１のロック用ツメ部２が突出している。枠部１１（上辺）にも同様にツメ用穴部１２が形成されており、そこから水平方向スライドプレート１５のロック用ツメ部２が突出している。
【００５６】
スライドプレート１の上辺側の端部には、変向用長穴１６が形成されている。水平方句スライドプレート１５の側辺側の端部にも、変向用長穴１６が形成されている。
ここで、筐体１０には、変向用ガイド１７が設けられている。変向用ガイド１７は略三角形状であり、そのうち一角が変向用支点ボルト１９で筐体１０に支持されている。側辺側の一角には変向用可動ボルト１８が形成されており、スライドプレート１の変向用長穴１６と係合している。上辺側の一角にも変向用可動ボルト１８が形成されており、水平方向スライドプレート１５の変向用長穴１６と係合している。
【００５７】
なお、図１２では、水平方向スライドプレート１５が枠部１１の上辺に取り付けられている状態を示したが、上辺だけでなく下辺にも取り付けられる。その場合には、下辺側にも変向用ガイド１７が設けられる。下辺の水平方向スライドプレート１５が水平方向にスライドしたとき、ロック用ツメ部２は下辺の突起部８と緊合するが、その動作は後述する。
【００５８】
第２の実施例の構成は以上である。
続いて、第２の実施例の動作を説明する。
図１１および１２のとおり、枠部（側辺）に取り付けられたスライドプレート１は、実施例１と同様、ハンドル５の開閉動作により上下にスライドする。具体的には、扉４が閉まった状態で、ハンドル（図示しない）が開→閉位置へ移行すると、スライドプレート１は上方向にスライドする。これにより、ロック用ツメ部２と扉４の突起部８とが緊合される。
【００５９】
ここで、スライドプレート１が上方向にスライドすることにより、スライドプレート１の変向用長穴１６に係合された変向用可動ボルト１８が水平方向に移動する。それに伴い、変向用ガイド１７が、変向用支点ボルト１９を支点として、上辺側に向けて周方向にスライドする。
【００６０】
これにより、水平方向スライドプレート１５の変向用長穴１６に係合した変向用可動ボルト１８が垂直方向に移動する。それに伴い、水平方向スライドプレート１５が、水平方向にスライドする。すると、水平方向スライドプレート１５のロック用ツメ部２と扉４の突起部８（上辺側）とが緊合し、扉４と筐体１０とが固定される。
【００６１】
なお、下辺側の水平方向スライドプレート１５も、同様に水平方向にスライドし、水平方向スライドプレート１５とロック用ツメ部２とが緊合することにより、扉４と筐体１０とが固定される。
【００６２】
第２の実施例の動作は以上である。
かくして本発明の第２の実施例によれば、ハンドル５の開閉動作に連動し、側辺のスライドプレート１のロック用ツメ部２と扉４の突起部８（側辺側）とが緊合されるだけでなく、上辺および下辺の水平方向スライドプレート１５のロック用ツメ部２と扉４の突起部８（上辺および下辺）とが緊合することにより、扉４と筐体１０とがより強固に固定される。
【００６３】
そのため、より強固に固定されているにもかかわらず、現地でのスイッチギヤの据付・メンテナンス作業時に、ハンドル５の開閉動作を行うだけで固定および解除動作を行うことができる。従って、作業時間の軽減につながる。
【００６４】
また、スライドプレート１のロック用ツメ部２と扉４の突起部８（側辺側）とが垂直方向に緊合して固定されているだけでなく、水平方向スライドプレート１５のロック用ツメ部２と扉４の突起部８（上辺および下辺）とが緊合されているため、扉４の垂直方向のみならず垂直方向への変形に対する強度を向上させることができる。
【００６５】
さらに、薄い板状のスライドプレート１を用い、扉４には切欠き部７と突起部８とを設けるだけであるため、扉への加工が簡単で軽量化とコストダウンを図ることができる。
なお、スライドプレート１のロック用ツメ部２と扉４の突起部８（側辺側）と、水平方向スライドプレート１５のロック用ツメ部２と扉４の突起部８（上辺および下辺）との位置を、扉４が内圧上昇で大きく変形すると予測される箇所（変形量が多い位置）に設けるようにすることで、扉の変形に対する強度を向上させることができる。
【００６６】
また、上記実施形態では、スライドプレート１の上方向へのスライドに連動してロック用ツメ部２の上方向のへの移動および突起部８との係止が行われるが、スライド方向は上方向へ限られるものではなく、下方向へのスライドにロック用ツメ部２を移動させて突起部８に係止させてもよい。同様に、水平方向スライドプレート１５のスライド方向も上記に限定されるものではない。
【００６７】
そのほか、実施例１および２では、筐体１０の枠部１１の内側にスライドプレート１を設置し、扉４の屈曲部６に切欠き部７および突起部８を形成した。しかし、これらに限られるものではなく、扉４の屈曲部６にスライドプレート１を設置し、筐体１０の枠部１１に切欠き部７および突起部８を設置してもよい。
【００６８】
上記実施形態は好ましい実施例について述べたものであり、本発明の趣旨を逸脱することなく、種々の変形実施例が可能なことは勿論である。即ち、筐体や扉、スライドプレート等の寸法や各部分の形状等は、設置現場の要求および状況等に応じて種々変更されるべきものである。
【符号の説明】
【００６９】
１    スライドプレート（側辺）
２    ロック用ツメ部（突出片）
３    スライド用ツメ部
４    扉
５    ハンドル
６    屈曲部
７    切欠き部
８    突起部
９    ハンドルの連動ピン
１０  筐体
１１  枠部
１２  枠部のツメ用穴部
１３  スライドプレート押さえ板
１４  押さえ板ボルト
１５  水平方向スライドプレート（上辺および下辺）
１６  変向用長穴
１７  変向用ガイド
１８  変向用可動ボルト
１９  変向用支点ボルト
【図１】
2012186945.tif 000003
【図２】
2012186945.tif 000004
【図３】
2012186945.tif 000005
【図４】
2012186945.tif 000006
【図５】
2012186945.tif 000007
【図６】
2012186945.tif 000008
【図７】
2012186945.tif 000009
【図８】
2012186945.tif 000010
【図９】
2012186945.tif 000011
【図１０】
2012186945.tif 000012
【図１１】
2012186945.tif 000013
【図１２】
2012186945.tif 000014
【図１３】
2012186945.tif 000015
【図１４】
2012186945.tif 000016